(57)【特許請求の範囲】
【請求項１】
互いに対向させた２枚の絶縁基板のうち、一方の絶縁基板に複数のＸ電極と複数のＹ電極とを互いに平行となるように交互に配置し、他方の絶縁基板に前記Ｘ電極および前記Ｙ電極に直交するように複数のデータ電極を配置して、隣接する一方の前記Ｘ電極と前記Ｙ電極の間を放電ギャップとし、隣接する他方の前記Ｘ電極と前記Ｙ電極の間を非放電ギャップとし、前記放電ギャップと前記データ電極との交点にマトリクス状に配置された画素を形成し、前記Ｘ電極および前記Ｙ電極の少なくともどちらか一方が複数本ずつ共通化されているＡＣ型プラズマディスプレイパネル（ＰＤＰ）を駆動する方法であって、
前記画素内の前記Ｘ電極と前記Ｙ電極との間に所定の電圧を印加して面放電を生じさせ、前記Ｘ電極上と前記Ｙ電極上とに互いに逆極性となる壁電荷を形成する予備放電期間と、
前記予備放電期間に引き続いて前記画素内の前記Ｘ電極と前記Ｙ電極とを同一電位にすることにより前記Ｘ電極と前記Ｙ電極の間に面放電を発生させると共に表示データに基づいて前記データ電極に第１極性のデータパルスを印加し、前記画素を点灯セルに設定する場合にのみ前記データ電極上に第２極性の壁電荷を形成すると共に前記Ｘ電極上及び前記Ｙ電極上にそれぞれ前記第１極性の壁電荷を形成し、表示データの書込みを行う走査期間と、
前記Ｘ電極及び前記Ｙ電極に交互に前記第１極性の維持パルスを印加して、前記点灯セルに設定された前記画素に維持放電を生じさせる維持期間と、
を備えることを特徴とするＡＣ型ＰＤＰ駆動方法。
【請求項２】
前記予備放電期間、前記走査期間および前記維持期間で１つのサブフィールドを構成し、前記サブフィールドを複数合わせて１つの画面を表示する１フィールドとすることを特徴とする請求項１に記載のＡＣ型ＰＤＰ駆動方法。
【請求項３】
前記Ｘ電極および前記Ｙ電極がそれぞれ複数本ずつ共通化されていることを特徴とする請求項１に記載のＡＣ型ＰＤＰ駆動方法。
【発明の詳細な説明】
【０００１】
【発明が属する技術分野】
本発明は、プラズマディスプレイパネルの駆動方法およびプラズマディスプレイパネルに関する。
【０００２】
【従来の技術】
一般に、プラズマディスプレイパネル（以下、ＰＤＰとも略称する）は、薄型で大画面表示が比較的容易にできること、視野角が広いこと、応答速度が速いことなど、数多くの特長を有している。このため、近年、フラットディスプレイとして、壁掛けテレビや公共表示板などとして利用されている。ＰＤＰは、その動作方式により、電極が放電空間（放電ガス）に露出して直流放電の状態で動作させる直流放電型（ＤＣ型）と、電極が誘電体層に被覆されて放電ガスには直接露出させず、交流放電の状態で動作させる交流放電型（ＡＣ型）とに分類される。ＤＣ型では電圧が印加されている期間中放電が発生し、ＡＣ型では電圧の極性を反転させることにより放電を持続させる。さらに、ＡＣ型には、１セル内の電極数が２電極のものと３電極のものがある。
【０００３】
ここで、従来の３電極ＡＣ型プラズマディスプレイパネルの構造および駆動方法について述べる。図１７は従来のプラズマディスプレイパネルの一例を示すセル断面図である。
【０００４】
ＡＣ３電極型プラズマディスプレイパネルは、相互に対向する前面基板２０と背面基板２１と、双方の基板間２０、２１間に配置された複数のＸ電極２２、Ｙ電極２３及びデータ電極２９と、Ｘ電極２２、Ｙ電極２３及びデータ電極２９の各交差部分に行列状に配置された表示セルとを有する。
【０００５】
前面基板２０としてガラス基板等を用い、Ｘ電極２２とＹ電極２３が所定の間隔を隔てて設けられている。Ｘ電極２２とＹ電極２３の上には配線抵抗を下げるために金属電極３２が積層されている。これらの上には透明誘電体層２４と、透明誘電体層２４を放電から保護するＭｇＯ等からなる保護層２５が形成されている。一方、背面基板２１としてガラス基板等を用い、データ電極２９がＸ電極２２やＹ電極２３と直交するように設けられている。さらに、データ電極２９上には白色誘電体層２８、蛍光体層２７が設けられている。２枚のガラス基板の間には所定の間隔を隔てて隔壁が紙面に平行に形成されている。隔壁は放電空間２６を確保するとともに画素を区切る役割を果たしている。放電空間２６内にはＨｅ、Ｎｅ、Ｘｅ等の混合ガスが放電ガスとして封入されている。このような構造が記載されている文献としては、ソサエティ・フォー・インフォメーション・ディスプレイ９８ダイジェスト、２７９頁〜２８１頁、１９９８年５月（ＳＩＤ  ９８  ＤＩＧＥＳＴ，ｐ２７９−２８１，Ｍａｙ，１９９８）がある。
【０００６】
図１６に従来の３電極ＡＣ型プラズマディスプレイパネルの平面図を示す。Ｘ電極２２のＸｉおよびＹ電極２３のＹｉ（ｉ＝１〜ｍ）と、データ電極２９のＤｊ（ｊ＝１〜ｎ）との各交差部分に、表示セル３１が行列状に配置される。
【０００７】
次にＰＤＰの駆動方法について説明する。現在、主流なのが走査期間と維持期間が分離されている走査維持分離方式（ＡＤＳ方式）である。以下、この走査維持分離方式の駆動方法について説明する。図１８は、３電極ＡＣ型プラズマディスプレイパネルの１サブフィールド１（以下、ＳＦと略称する）の駆動波形図の一例である。１サブフィールド１は予備放電期間２、走査期間３、および維持期間４の３つの期間で構成されている。
【０００８】
まず、予備放電期間２について説明する。正極性予備放電パルス５がＸ電極２２に、負極性予備放電パルス６がＹ電極２３に印加される。これにより、前ＳＦの発光状態による、前ＳＦの最終時点での壁電荷の形成状態の違いをリセットし、初期化すると同時に、全ての画素を強制的に放電させ、その後の書込放電を低い電圧で起こすためのプライミング効果を果たす。図１８では、正負の予備放電パルス５、６は１回であるが、前ＳＦの状態をリセットする維持消去パルスを印加した後、全画素を放電させプライミング効果を起こすプライミングパルスを印加するというように、２つの役割を分離してパルスを印加する場合もある。このとき、維持消去パルスは１回とは限らず異なるパルスを複数回印加することもある。また、プライミング効果は必ずしも毎ＳＦ必要なわけではなく、数ＳＦに１度しかプライミングパルスを印加しない駆動法もある。プライミングパルスは表示に関係なく全画素を発光させてしまうので、プライミングパルスの印加回数を減らすことにより、黒表示時の輝度を低く押さえることができる。図１８の従来例のように予備放電パルス５、６を用いる場合は、全画素を強制的に放電させるプライミング効果を数ＳＦに１度にするために、図１８以外のＳＦでは予備放電パルス５、６を低くし、リセットの役割だけを行うようにすることもある。このとき、リセットを確実に行うために予備放電パルスの代わりに、異なるパルスを複数回印加することもできる。
【０００９】
次に走査期間３に入る。走査期間３では、Ｘ１〜ＸｍのＸ電極２２に順次、走査パルス１３が印加される。この走査パルス１３に合わせてＤ１〜Ｄｎのデータ電極２９に表示パターンに応じてデータパルス９が印加される。データパルス９が印加された画素では、Ｘ電極２２とデータ電極２９の間に高い電圧が印加されるので書込放電が発生し、Ｘ電極２２側には大きな正の壁電荷が形成され、データ電極２９側には負の壁電荷が形成される。一方、データパルス９が印加されない画素では、印加電圧が低くなるので放電が発生せず、壁電荷の状況は変化しない。このように、データパルス９の有無により、２種類の壁電荷の状況を作り出すことができる。図中のデータパルス９の斜線は表示データによってデータパルス９の有無が変わることを意味する。
【００１０】
走査パルス１３を全ラインに印加し終わると維持期間４に移る。維持パルス１０は全Ｘ電極２２と全Ｙ電極２３に交互に印加される。維持パルス１０の電圧値は、それ自身の電圧では放電が開始しない電圧に設定してある。したがって、書込放電が発生していない画素では壁電荷が少ないため、維持パルスが印加されても放電は発生しない。一方、書込放電が発生した画素では、Ｘ電極２２側に大きな正の壁電荷が存在するため、Ｘ電極２２に印加されるはじめの正の維持パルス（第一維持パルスと呼ぶ）にこの正の壁電荷が重畳され、放電開始電圧以上の電圧が放電空間に印加され、維持放電が発生する。この放電により、Ｘ電極２２側には負の壁電荷が蓄積され、Ｙ電極２３側には正の壁電荷が蓄積される。次の維持パルス（第二維持パルスと呼ぶ）はＹ電極２３側に印加され、上記の壁電荷が重畳されることから維持放電がここでも発生し、第一維持パルスとは逆の極性の壁電荷が、Ｘ電極２２側とＹ電極２３側に蓄積される。これ以降も同様の原理で放電が持続的に発生する。つまりｘ回目の維持放電により発生した壁電荷による電位差が、ｘ＋１回目の維持パルスに重畳され維持放電が持続されている。この維持放電の持続回数により発光量が決定される。
【００１１】
以上の維持消去期間２、走査期間３、維持期間４を合わせてサブフィールドと呼ぶ。階調表示を行う場合、１画面の画像情報を表示する期間である１フィールドが、この複数のサブフィードから構成されている。各サブフィールドの維持パルス数を変え、各サブフィールドを点灯させるか非点灯にするかによって階調表示を行うことができる。
【００１２】
このようにして、ｍ個のＸ電極ドライバと１個のＹ電極ドライバを用いてｍ行の表示画面をプログレッシブ（ノンインターレース）で駆動していた。
【００１３】
しかしながら、この上記のような構造および駆動法では、隣のセルとのＸ電極とＹ電極の間隔である非放電ギャップ３８を放電ギャップ３７に比べて大きくとらなくてはならず高精細パネルには適していない。そこで、高精細に適したパネル構造および駆動法の公知例として特開平９−１６０５２５に記載のプラズマディスプレイパネル駆動方法及びプラズマディスプレイパネル装置が挙げられる。図１９にそのパネルの平面図を示す。図１６の従来パネルと比較すると、Ｙ電極が１本上部に追加されていること、および、Ｘ電極とＹ電極が全て等間隔になっていることが異なる。この図１９の従来例では、全てのＸ電極とＹ電極の電極ギャップ間が画素となっており、高精細画面に対応している。
【００１４】
図２０および図２１に駆動法を示す。図２０は図１９の従来例の奇数フィールドの駆動波形であり、図２１は図１９の従来例の偶数フィールドの駆動波形である。予備放電期間２は図１８の従来例と同じである。次に走査期間３に入る。走査期間３では、Ｘ１〜ＸｍのＸ電極２２に順次、走査パルス１３が印加される。この走査パルス１３に合わせてＤ１〜Ｄｎのデータ電極２９に表示パターンに応じてデータパルス９が印加される。このときのデータパルス９の印加の仕方を図２２に示す。図２２は図１９のあるデータ電極上のＹ１〜Ｘ３までを横に並べている。図２２の例では、図上部のような点灯と非点灯の表示を行う場合について示してある。この駆動方法はインターレース駆動であるので、奇数フィールドでは、左から１、３、５画素目を表示し、偶数フィールドでは２、４画素目を表示している。
【００１５】
はじめに奇数フィールドの場合について述べる。１、３、５画素目の中では１画素目だけが点灯画素であるので、１画素目のＸ電極２２であるＸ１に走査パルス１３が印加されたときのみ、データパルス９が印加される。走査パルス８を全ラインに印加し終わると維持期間４に移る。奇数フィールドでは、奇数Ｘ電極と偶数Ｙ電極が同位相となり、偶数Ｘ電極と奇数Ｙ電極が同位相となっている。これにより、走査期間に壁電荷が形成された画素では、奇数Ｘ電極と奇数Ｙ電極の間と偶数Ｘ電極と偶数Ｙ電極の間で維持放電が発生する。図２２の従来例では、第一維持では維持放電が発生しないが、第二維持から維持放電がはじまり、その後維持放電が持続される。奇数フィールドも偶数フィールドも走査期間に壁電荷が形成されない場合は、維持放電は発生しない。
【００１６】
次に、偶数フィールドの場合について述べる。２、４画素目は両方とも点灯画素であるので、２画素目のＸ電極２２であるＸ１と４画素目のＸ電極２２であるＸ２に走査パルス１３が印加されたときの両方で、データパルス９が印加される。走査パルス１３を全ラインに印加し終わると維持期間４に移る。偶数フィールドでは、奇数Ｘ電極と奇数Ｙ電極が同位相となり、偶数Ｘ電極と偶数Ｙ電極が同位相となっている。これにより、走査期間に壁電荷が形成された画素では、奇数Ｘ電極と奇数Ｙ電極の間と偶数Ｘ電極と偶数Ｙ電極の間で維持放電が発生する。ここでも、２画素目は第一維持では維持放電は発生しないが、奇数フィールドと同様に、第二維持から維持放電がはじまり、その後維持放電が持続される。
【００１７】
以上のように、この駆動法によれば、奇数と偶数の２フィールドを足し合わせることにより、全てのＸ電極とＹ電極の間で表示を行うことができるため、高精細ディスプレイにすることができる。
【００１８】
このようにして、ｍ個のＸ電極ドライバと２個のＹ電極ドライバを用いて２、先に示した従来例の２倍の２ｍ行の表示画面を表示することができる。しかしながら、この場合、インターレース駆動となる。
【００１９】
【発明が解決しようとする課題】
しかし、高精細パネルになると、走査線本数が増加する。これに伴い走査ドライバの数も増大し、製造コストが上昇する。これに対し、従来の技術で示したように、インターレース駆動にして、走査ドライバ数を削減する方法がある。しかし、インターレース駆動であるために画質が劣化してしまう。
【００２０】
そこで、本発明は、プログレッシブ（ノンインターレース）駆動で走査ドライバ数、または、Ｘ電極ドライバおよびＹ電極ドライバの合計数を削減できるプラズマディスプレイパネルの駆動方法およびプラズマディスプレイパネルを提供することを課題としている。
【００２１】
【課題を解決するための手段】
上記の課題を解決するため、本発明は、互いに対向させた２枚の絶縁基板のうち、一方の絶縁基板に複数のＸ電極と複数のＹ電極とを互いに平行となるように交互に配置し、他方の絶縁基板に前記Ｘ電極および前記Ｙ電極に直交するように複数のデータ電極を配置して、隣接する一方の前記Ｘ電極と前記Ｙ電極の間を放電ギャップとし、隣接する他方の前記Ｘ電極と前記Ｙ電極の間を非放電ギャップとし、前記放電ギャップと前記データ電極との交点にマトリクス状に配置された画素を形成し、前記Ｘ電極および前記Ｙ電極の少なくともどちらか一方が複数本ずつ共通化されているＡＣ型プラズマディスプレイパネル（ＰＤＰ）を駆動する方法であって、前記画素内の前記Ｘ電極と前記Ｙ電極との間に所定の電圧を印加して面放電を生じさせ、前記Ｘ電極上と前記Ｙ電極上とに互いに逆極性となる壁電荷を形成する予備放電期間と、前記予備放電期間に引き続いて前記画素内の前記Ｘ電極と前記Ｙ電極とを同一電位にすることにより前記Ｘ電極と前記Ｙ電極の間に面放電を発生させると共に表示データに基づいて前記データ電極に第１極性のデータパルスを印加し、前記画素を点灯セルに設定する場合にのみ前記データ電極上に第２極性の壁電荷を形成すると共に前記Ｘ電極上及び前記Ｙ電極上にそれぞれ前記第１極性の壁電荷を形成し、表示データの書込みを行う走査期間と、前記Ｘ電極及び前記Ｙ電極に交互に前記第１極性の維持パルスを印加して、前記点灯セルに設定された前記画素に維持放電を生じさせる維持期間と、を備えることを特徴とするＡＣ型ＰＤＰ駆動方法を提供する。
【００２４】
【発明の実施の形態】
以下、図面を参照して本発明の実施の形態について説明する。
【００２５】
図１は本発明の第一の実施形態の３電極ＡＣ型プラズマディスプレイパネルの平面図である。パネルの電極配置は従来パネルの図１９と同じである。Ｘ電極２２はｍ本、Ｙ電極２３はｍ＋１本あり、交互に等間隔に配置されている。１セル３１は、全てのＸ電極とＹ電極の間（２ｍ−１箇所）とデータ電極（ｎ本）の交点となり、（２ｍ−１）×ｎ個の画素が存在する。次に１セルの平面図を図２に示す。破線で囲った部分が１セル３１である。また、図２のＡ−Ａ’間で切った断面を図３に示す。上下２枚の絶縁性基板１、２としては例えば厚さ２〜５ｍｍ程度のソーダライムガラス基板が用いられる。上部絶縁性基板２０にはＸ電極２２とＹ電極２３として酸化スズまたは酸化インジウムからなる膜厚１００ｎｍ〜５００ｎｍ程度の透明電極が対になる形で設けられている。例えばセルピッチが０．６ｍｍの場合、Ｘ電極２２およびＹ電極２３の先幅は５００〜５５０μｍ程度とし、２つの電極間ギャップは５０〜１００μｍ程度とした。各透明電極の上の一部には配線抵抗を下げるためにＡｇなどで２〜７μｍ程度の膜厚の金属電極３２を設けている。その上には比誘電率１０〜２５程度のＰｂＯ−Ｂ２Ｏ３−ＳｉＯ２系低融点ガラスペーストを用いて透明誘電体層２４が１０〜５０μｍ程度形成され、５００〜６００度程度で焼成した。さらにその上には誘電体層２４を保護するための保護層２５がＭｇＯを蒸着することにより０．５〜２μｍ程度形成されている。さらに金属電極３２に沿って、セルギャップ（１００〜１３０μｍ）の約半分（４０〜５０μｍ）程度の高さで、幅が５０〜２００μｍ程度のセル分離隔壁３３が設けられている。このセル分離隔壁３３と上部絶縁性基板２０側にあるセル分離隔壁３３と同じ高さの縦ライン隔壁３５（幅５０〜７０μｍ程度）は同時にサンドブラスト法を用いて形成する。
【００２６】
一方、下部絶縁性基板２１にはＡｇなどでデータ電極２９が２〜４μｍ程度の膜厚で形成されている。その上には白色誘電体層２８が設けられている。白色誘電体層２８には比誘電率１０〜２５程度のＰｂＯ−Ｂ２Ｏ３−ＳｉＯ２系低融点ガラスペーストにＴｉＯ２を１０：１の割合で混ぜ合わせた白色ガラスペーストを用いて、膜厚５〜４０μｍ程度形成し、５００〜６００度で焼成する。さらにその上に、セル分離隔壁３４を、白色ガラスペーストを印刷することにより、高さ４０〜５０μｍ程度形成し、５００〜６００度で焼成する。次に下部絶縁性基板２１側の縦ライン隔壁３６をペーストを塗布した後、サンドブラスト法を用いて形成する。このとき、縦ライン隔壁３６の高さをセル分離隔壁３４よりも２０μｍ程度高くし、２枚の絶縁性基板２０、２１を貼り合わせた際に、セル分離隔壁３３と３４の間に排気パスとしての隙間が形成されるようにする。最後に蛍光体９を１０〜１５μｍ程度塗布する。このときセル毎に蛍光体の種類をＲＧＢ（赤、緑、青）に塗り分けると、フルカラー表示が可能となる。Ｒ（赤）の蛍光体には（Ｙ、Ｇｄ）ＢＯ3：Ｅｕ、Ｇ（緑）の蛍光体にはＺｎ2ＳｉＯ4：Ｍｎ、Ｂ（青）の蛍光体にはＢａＭｇＡｌ10Ｏ17：Ｅｕを用いた。
【００２７】
上記の２枚の絶縁性基板を張り合わせ、３５０〜５００度でベーキングした後、セル内を排気し、放電ガスとしてＨｅ、Ｎｅ、Ｘｅの混合ガスを２００〜６００ｔｏｒｒ封入し、封止することにより完成する。
【００２８】
次に本発明の第一の実施形態の駆動方法について図４を参照しながら説明する。予備放電期間２はＸ電極２２には正極性、Ｙ電極２３には負極性の予備放電パルスが印加される。正極性予備放電パルス５の電圧は１６０Ｖとし、負極性予備放電パルス６の電圧は−１６０Ｖとした。パルス幅は４〜１０μｓｅｃとした。
【００２９】
つぎに走査期間３に移る。Ｘ電極に印加されていた電圧を順次０Ｖに落としていく。図４のｔｓ（ｓは整数）は全て等間隔であり、ｔ２−ｔ１＝ΔｔとしてΔｔ＝１．５〜３μｓｅｃとした。一方、Ｙ電極は奇数行と偶数行で半周期ずらした矩形波を印加している。好ましくは、ｔｓ（ｓは奇数）のタイミングでＹ２ｋ−１電極の電位が０Ｖになる前にＹ２ｋ電極が−１８０Ｖになっている必要があるため、若干、Ｙ２ｋ電極の波形の位相を先行させるとよい。矩形波の電圧値は０Ｖと−１８０Ｖとした。各電圧が変化するタイミングであるΔｔおきに、映像信号に対応したデータパルス９を印加させている。データパルス電圧は−８０Ｖとした。全てのＸ電極の電位を０Ｖにした後に、維持期間４に移行する。維持期間４にＸ電極２２とＹ電極２３に印加される維持パルス１０は負極性電圧のパルスを交互に印加することにより構成されている。電圧値は−１６０Ｖとし、パルス幅は３〜１０μｓｅｃとした。
【００３０】
次に、このときの動作について、図１５の壁電荷の形成状態の図も合わせて参照しながら説明する。図１５は図２におけるＡ−Ａ‘の断面図であり、各電極上の壁電荷量を模式的に示したものである。
【００３１】
予備放電期間２では、Ｘ電極２２とＹ電極２３の間で面放電が発生し、Ｘ電極２２上には負の壁電荷が形成され、Ｙ電極２３上には正の壁電荷が形成される。このときの壁電荷の形成状態は図１５（ａ）のようになる。図１５では壁電荷が電極上で一様であるように模式的に現しているが、実際には壁電荷は分布をもって形成されていると考えられる。
【００３２】
予備放電期間２が終了すると走査期間３に移行する。走査期間３のｔ１のタイミングでＸ１電極の電位が０Ｖに落とす。同じタイミングで奇数行Ｙ電極も０Ｖに落ちるため、Ｘ１電極上の負の壁電荷とＹ１電極上の正の壁電荷により、Ｘ１電極とＹ１電極の間で面放電が発生する。このときＹ１電極以外の奇数行Ｙ電極も電位は変化するが、隣接するＸ電極の電位は変化していないため面放電は発生しない。つまり、Ｘ電極とＹ電極の電位の両方が０Ｖになった個所で、走査期間３中にまだ面放電が発生しておらず、予備放電期間２に形成された壁電荷が残っている個所だけで面放電が発生する。このｔ１のタイミングで映像信号に対応したデータパルス９が印加される。本実施形態では、点灯セルの場合に負のデータパルスを印加している。ｔ１のタイミングではＸ１電極とＹ１電極は同電位になっているため、同量の壁電荷が形成される。このときＸ電極２２およびＹ電極２３の中央には隣接するセルとの間にセル分離隔壁３３が形成されているため、形成される壁電荷はＸ１電極上のセル分離隔壁３３とＹ１電極上のセル分離隔壁３３には挟まれた範囲だけにとどまり、セル分離隔壁３３の反対側のＸ１電極やＹ１電極の壁電荷は変化しない。このタイミングにデータパルス９が印加されると、データ電極２９上に正の壁電荷が形成され、Ｘ１電極とＹ１電極には負の壁電荷が形成される。一方、データパルス９が印加されないと、Ｘ１電極、Ｙ１電極、データ電極２９の電位はすべて０Ｖになるため、壁電荷は消失する。図１５（ｂ）に、このときの壁電荷の形成状態を示す。図１５（ｂ）およびそれ以降の図では１セルについてのみ壁電荷の状態を示しており、隣接するセルのＸ電極２２、Ｙ電極２３およびデータ電極２９上の壁電荷は表示データにより異なるため表示していない。次にｔ２になると、偶数行Ｙ電極の電位が０Ｖとなる。すでにＸ１電極の電位は０Ｖとなっているので、隣接するＹ２電極が０Ｖとなることで、Ｘ１電極とＹ２電極の間で面放電が発生する。同じタイミングでデータパルス９が印加されると、ｔ１のときと同じようにデータパルス９の有無により、壁電荷の形成状態を図１５（ｂ）のように変えることができる。さらにｔ３になるとＸ２電極の電位が０Ｖとなる。このとき隣接するＹ２電極とＹ３電極のうち、Ｙ３電極だけが０Ｖになっているため、Ｘ２電極とＹ３電極の間でのみ面放電が発生する。このとき、ｔ１やｔ２のときと同様にデータパルス９の有無で壁電荷の状態を変えることができる。以降も同様にして、順次Ｘ電極２２の電位を０Ｖにしていき、各Ｘ電極を０Ｖにした状態で、奇数行Ｙ電極と偶数行Ｙ電極の電位を交互に０ＶにすることによりＸ電極と奇数行Ｙ電極の間で面放電を発生させるか、Ｘ電極と偶数行Ｙ電極の間で面放電を発生させるかを選択することができる。このようにして、全てのセルについて図１５（ｂ）のような壁電荷の状態を形成される。
【００３３】
次に維持期間４に移行する。維持期間４では負極性の維持パルス１０がＸ電極２２とＹ電極２３に交互に印加される。本実施形態ではＹ電極２３に最初に維持パルス１０が印加されているが、Ｘ電極２２とＹ電極２３のどちらに最初に維持パルス１０が印加されてもよい。この維持パルス１０の電圧、その電圧そのもの（本実施形態では−１６０Ｖ）では面放電が発生しない電圧に設定してある。走査期間３終了時には、点灯と非点灯のどちらのセルでも各セル内のＸ電極とＹ電極には同じ壁電荷量が形成されている。したがって、維持パルス１０に壁電圧が重畳されたとしても、面電極間電位差はほぼ１６０Ｖであり、放電が開始する電圧には到達しない。しかし、点灯セルでは、Ｙ電極に負の壁電荷、データ電極に正の壁電荷が形成されているため、Ｙ電極とデータ電極の間で対向放電が発生する。この対向放電により、図１５（ｃ）に示すように、Ｙ電極に大きな正の壁電荷が形成される。これにより、次の維持パルス１０がＸ電極に印加されると、Ｘ電極上の負の壁電荷とＹ電極上の正の壁電荷が維持パルス１０に重畳され、Ｘ電極とＹ電極の間で面放電が発生し、図１５（ｄ）のように図１５（ｃ）とＸ電極とＹ電極の壁電荷量が逆転する。これ以降は、従来のプラズマディスプレイの駆動と同じように、維持パルス１０が反転するたびに面電極間で維持放電が発生し、点灯表示が行なわれる。一方、非点灯セルの場合、走査期間３終了時にＸ電極とＹ電極には壁電荷が形成されていないため、点灯セルのように最初の維持パルス１０の印加により、対向放電が発生するようなことはない。さらにそれ以降の維持パルスを印加しても維持放電は発生しないため消灯表示となる。
【００３４】
このようにして、ｍ個のＸドライバと２個のＹ電極ドライバで２ｍ行の表示画面をプログレッシブで表示することができた。
【００３５】
本発明の第二の実施の形態について図５の駆動波形と図１５の壁電荷の形成状態の図を合わせて参照しながら説明する。図１５は図２におけるＡ−Ａ‘の断面図であり、各電極上の壁電荷量を模式的に示したものである。
セルの構造およびパネル電極配置は本発明の第一の実施の形態と同じである。本実施形態の駆動波形はＹ電極２３の走査期間３における波形以外は本発明の第一の実施の形態と同じである。予備放電期間２では本発明の第一の実施の形態と同じく、図１５（ａ）に示すような壁電荷配置となる。次に走査期間３に移る。基本的な表示映像データに基づく壁電荷の書込み方法は本発明の第一の実施の形態と同じである。Ｘ電極とＹ電極の電位の両方が０Ｖになった個所で、走査期間３中にまだ面放電が発生しておらず、予備放電期間２に形成された壁電荷が残っている個所だけで面放電が発生する。面放電が発生するタイミングに合わせて、表示データに対応したデータパルス９を印加することにより、図１５（ｂ）のような点灯、非点灯の壁電荷状態を区別して形成することができる。
【００３６】
本発明の第一の実施の形態では、全ての各Ｘ電極に対して、隣接する奇数行Ｙ電極とＸ電極間の面放電による書込みが先行し、次に偶数行Ｙ電極とＸ電極間の面放電による書込みが行なわれているのに対し、本実施形態では、奇数行Ｘ電極については奇数行Ｙ電極、偶数行Ｙ電極の順で書き込みが行なわれ、偶数行Ｘ電極については偶数行Ｙ電極、奇数行Ｙ電極の順で書き込みが行なわる。時間を追って順に説明する。ｔ１ではＸ１電極の電位が０Ｖに落ち、同じタイミングで奇数行Ｙ電極も０Ｖに落ちるため、Ｘ１電極上の負の壁電荷とＹ１電極上の正の壁電荷により、Ｘ１電極とＹ１電極の間で面放電が発生し書込みが行なわれる。このときＹ１電極以外の奇数行Ｙ電極も電位は変化するが、隣接するＸ電極の電位は変化していないため面放電は発生しない。次にｔ２になると偶数行Ｙ電極が０Ｖに落ちるため、Ｘ１電極とＹ２電極の間で面放電が発生し、この電極間で書込みの壁電荷の形成が行なわれる。したがって、Ｘ１（奇数行）電極に関しては、まずＹ１（奇数行）電極との間で書込みが行なわれ、続いてＹ２（偶数行）電極との間で書込みが行なわれている。次にｔ３ではＸ２電極の電位が０Ｖとなる。このとき奇数行Ｙ電極は０Ｖから−１６０Ｖに電位が移行するが、Ｘ２電極の電位が０Ｖとなる時点で奇数行Ｙ電極の電位は−１６０Ｖとなっている必要があるため、Ｙ２ｋ−１のパルスの位相を若干先行させておく方が望ましい。Ｘ２電極と隣接するＹ電極のうち、Ｙ２電極が０Ｖであるため書込みの面放電が発生するが、Ｙ３電極は−１６０Ｖであるため書き込みの面放電は発生しない。続いてｔ４では奇数行Ｙ電極が０Ｖとなるため、Ｘ２電極とＹ３電極の間で書込みの面放電が発生する。このように、Ｘ２（偶数行）電極に関しては、まずＹ２（偶数行）電極との間で書込みが行なわれ、続いてＹ３（奇数行）電極との間で書込みが行なわれている。ｔ５以降は、Ｙ電極についてはｔ１からｔ５の繰り返しとなり、Ｘ電極の電位は順次０Ｖに落ちていき、上から順番に書込み放電が行なわれていく。以上のようにして全ての行について書込みが行なわれる。維持期間４については本発明の第一の実施の形態と同じである。
【００３７】
このようにして、本発明の第一の実施の形態同様、ｍ個のＸドライバと２個のＹ電極ドライバで２ｍ行の表示画面をプログレッシブで表示することができた。
【００３８】
本発明の第三の実施の形態について図６の駆動波形と図１５の壁電荷の形成状態の図を合わせて参照しながら説明する。図１５は図２におけるＡ−Ａ‘の断面図であり、各電極上の壁電荷量を模式的に示したものである。
【００３９】
セルの構造およびパネル電極配置は本発明の第一の実施の形態と同じである。本実施形態の駆動波形は奇数行Ｙ電極の走査期間３における波形以外は本発明の第一の実施の形態と同じである。予備放電期間２では本発明の第一の実施の形態と同じく、図１５（ａ）に示すような壁電荷配置となる。次に走査期間３に移る。基本的な表示映像データに基づく壁電荷の書込み方法は本発明の第一の実施の形態と同じである。Ｘ電極とＹ電極の電位の両方が０Ｖになった個所で、走査期間３中にまだ面放電が発生しておらず、予備放電期間２に形成された壁電荷が残っている個所だけで面放電が発生する。面放電が発生するタイミングに合わせて、表示データに対応したデータパルス９を印加することにより、図１５（ｂ）のような点灯、非点灯の壁電荷状態を区別して形成することができる。
【００４０】
書込みの面放電を発生させる順序は本発明の第一の実施の形態と同じである。つまり、本発明の第一の実施の形態も第三の実施の形態でも、全ての各Ｘ電極に対して、隣接する奇数行Ｙ電極とＸ電極間の面放電による書込みが先行し、次に偶数行Ｙ電極とＸ電極間の面放電による書込みが行なわれている。ｔ１とｔ２については本発明の第二の実施の形態と同じであり、ｔ１ではＸ１電極とＹ１電極の間で、ｔ２ではＸ１電極とＹ２電極の間で書込みの面放電が発生する。このｔ２のタイミングでは、すでにＸ１電極とＹ１電極の間で面放電が発生しているため、同一の壁電荷量が形成されており、これ以上放電が発生することはない。したがって、Ｙ１、つまり奇数行Ｙ電極の電位は０Ｖでも−１６０Ｖでもどちらでもよいことになる。そこで、本実施形態はｔ２での奇数行Ｙ電極の電位を０Ｖのままとした。ｔ２以降のｔｓ（ｓは偶数）についても同様のことが言えるため、走査期間３における奇数行Ｙ電極の電位を０Ｖで一定とした。
【００４１】
以上のようにして本発明の第一の実施の形態と同じ順序で全ての行について書込みが行なわれる。維持期間４については本発明の第一の実施の形態と同じである。
【００４２】
このようにして、本発明の第一の実施の形態同様、ｍ個のＸドライバと２個のＹ電極ドライバで２ｍ行の表示画面をプログレッシブで表示することができた。
【００４３】
本発明の第四の実施の形態について図７の駆動波形、図１０のパネル平面図および図１５の壁電荷の形成状態の図を合わせて参照しながら説明する。図１５は図２におけるＡ−Ａ‘の断面図であり、各電極上の壁電荷量を模式的に示したものである。
【００４４】
セルの構造は本発明の第一の実施の形態と同じである。電極の配置も本発明の第一の実施の形態と同じように、Ｘ電極２２とＹ電極２３が等間隔に交互に配置されている。本実施形態では、画面をＹ１電極からＸｍ電極までの上部画面と、Ｙｍ＋１からＹ２ｍ＋１電極までの下部画面の２つに分割し、それぞれの画面について本発明の第一の実施の形態と同じ駆動を行なっている。つまり、上部画面および下部画面のそれぞれの画面については、Ｘ電極２２に全て独立な駆動波形を印加し、Ｙ電極２３に奇数行Ｙ電極と偶数行Ｙ電極にそれぞれ別な駆動波形を印加している。そして、上下各画面の同じ行番目のＸ電極は共通化されており、同一のＸ電極ドライバで駆動している。つまり、図１０に示すようにＸ１電極とＸｍ＋１電極をＰ１ドライバで駆動し、Ｘ２電極とＸｍ＋２電極をＰ２ドライバで駆動するというように、上から順次共通化し、ｍ個のドライバで駆動している。一方、Ｙ電極については、上部画面と下部画面は独立しており、上部画面の奇数行Ｙ電極をＱ１ドライバ、偶数行Ｙ電極をＱ２ドライバ、下部画面の奇数行Ｙ電極をＱ３ドライバ、偶数行Ｙ電極をＱ４ドライバで駆動している。
【００４５】
次に動作について説明する。予備放電期間２および維持期間４は本発明の第一の実施の形態と同じである。予備放電期間２では、図１５（ａ）に示すような壁電荷が形成される。次に走査期間３に移る。基本的な表示映像データに基づく壁電荷の書込み方法は本発明の第一の実施の形態と同じである。Ｘ電極とＹ電極の電位の両方が０Ｖになった個所で、走査期間３中にまだ面放電が発生しておらず、予備放電期間２に形成された壁電荷が残っている個所だけで面放電が発生する。面放電が発生するタイミングに合わせて、表示データに対応したデータパルス９を印加することにより、図１５（ｂ）のような点灯、非点灯の壁電荷状態を区別して形成することができる。ｔ１においてＰ１ドライバの電位が０Ｖとなり、Ｘ１電極とＸｍ＋１電極が０Ｖとなる。これらのＸ電極と隣接するＹ電極は、Ｙ１、Ｙ２、Ｙｍ＋１、Ｙｍ＋２であるが、Ｑ１ドライバのみが０Ｖとなるため、Ｙ１電極のみが０Ｖとなる。このため、Ｘ１電極とＹ１電極の間で書込みの面放電が発生する。一度面放電が発生すると、放電が発生したＸ電極とＹ電極には同じ壁電荷が形成されるため、以降はＸ電極が０Ｖであるのに対し、Ｙ電極は０Ｖでも−１６０Ｖでも放電は発生しない。そこで、本実施形態では放電が発生したあとすぐのΔｔ後にＹ電極の電位を−１６０Ｖに戻しているが、そこでは放電は発生せず、壁電荷は書き込み時に形成された状態を保っている。次に、ｔ２、ｔ３、ｔ４となると、順次Ｑ２、Ｑ３、Ｑ４が０Ｖとなり、ｔ２ではＸ１電極とＹ２電極の間、ｔ３ではＸｍ＋１電極とＹｍ＋１電極の間、ｔ４ではＸｍ＋１電極とＹｍ＋２電極の間で書込みの面放電が発生する。次に、ｔ５になるとＰ２ドライバの電位が０Ｖとなる。これによりＸ２電極とＸｍ＋２電極の電位が０Ｖとなる。このとき、Ｐ１ドライバの電位が０Ｖになった場合と同じく順次Ｑ１からＱ４のドライバを０ＶとしていくことによりＸ２とＸｍ＋２電極と隣接する４つのＹ電極との間で順次書込みの面放電が行なわれる。以上のようにして全ての行について書込みが行なわれる。維持期間４については本発明の第一の実施の形態と同じである。
【００４６】
このようにして、ｍ個のＸドライバと４個のＹ電極ドライバで４ｍ行の表示画面をプログレッシブで表示することができた。本実施形態では画面を上下２分割にしたが、さらに多くすることもできる。画面をｒ分割した場合、Ｙ電極ドライバは２ｒ個必要となる。分割した１つの画面は２ｍ行存在する。したがって、ｍ個のＸ電極ドライバと２ｒ個のＹ電極ドライバにより２ｍｒ行の画面を表示することができる。例えばＸ電極ドライバとＹ電極ドライバを３２個ずつとすると、ｍ＝３２、ｒ＝１６となるので、１０２４行の画面表示を行なうことができる。このように、Ｘ電極とＹ電極のドライバ数の掛け算が表示行数となるため、Ｘ電極ドライバとＹ電極ドライバの合計数を最小にするには、Ｘ電極ドライバ数とＹ電極ドライバ数を同数にすればよい。
【００４７】
本発明の第五の実施の形態について図８の駆動波形と図１０のパネル平面図を参照しながら説明する。セルの構造、電極の配置およびドライバの接続は本発明の第四の実施の形態と同じである。駆動波形においては、走査期間３のＹ電極ドライバの駆動波形以外は本発明の第四の実施の形態と同じである。書込みの面放電が発生した後のＹ電極の電位は０Ｖでも−１６０Ｖでも放電は発生しないため、本発明の第四の実施の形態では、書込みの面放電のΔｔ後にＹ電極の電位を−１６０Ｖに戻しているのに対し、本実施形態では２Δｔ後に−１６０Ｖに戻している。どちらの場合も放電は発生しないため、壁電荷の形成は本発明の第四の実施の形態と同じである。
【００４８】
このようにして、ｍ個のＸドライバと４個のＹ電極ドライバで２ｍ＋１行の表示画面をプログレッシブで表示することができた。本実施形態の場合も本発明の第四の実施の形態と同じく画面分割数を増やすことができる。
【００４９】
本発明の第六の実施の形態について図９の駆動波形を参照しながら説明する。セルの構造、パネル電極配置およびＸ電極とＹ電極に印加される駆動波形は本発明の第一の実施の形態と同じである。したがって、書込みを行なう順番は第一の実施の形態と同じである。走査期間３において、データ電極に印加されるデータパルス９の電圧を表示信号に対応して３段階に変えている。本実施形態では、０Ｖ、−４０Ｖ、−８０Ｖとした。また、維持期間４の途中において、維持放電開始制御パルス１２が印加されている。
【００５０】
次に、動作について図１５も参照しながら説明する。予備放電期間２では本発明の第一の実施の形態と同じく、図１５（ａ）に示すような壁電荷配置となる。次に走査期間３に移る。基本的な表示映像データに基づく壁電荷の書込み方法は本発明の第一の実施の形態と同じである。本実施形態では、表示信号の階調に応じてデータパルス電圧を変えており、図１５（ｂ）に示す、書込み後のＸ電極とＹ電極に蓄積される壁電荷量が、データパルス電圧によって異なってくる。次に、維持期間４に移行する。走査期間３においてデータパルス電圧が−８０Ｖの場合、Ｘ電極とＹ電極に最も大きな負の壁電荷が蓄積されており、維持パルス１０に重畳されて、対向放電が発生する。ところが、データパルス電圧が−４０Ｖおよび０Ｖの場合は、これよりも負の壁電荷量が小さいため、維持パルス１０に壁電荷が重畳しても対向放電は発生しない。ひとたび対向放電が発生すると、Ｘ電極とＹ電極に正負の異なる大きな壁電荷が形成され、それ以降面放電の維持放電が持続することは、本発明の第一の実施の形態と同じである。次に、データパルス電圧が−４０Ｖの場合であるが、維持期間４の途中にある維持放電開始制御パルス１２が印加されるタイミングで、維持パルス１０と維持放電開始制御パルス１２および面電極上の負の壁電荷が重畳されて対向放電が発生する。このとき、データパルス電圧が０Ｖの場合は、まだ対向放電が発生しない電圧となっている。ひとたび対向放電が発生すると、それ以降は面の維持放電が持続する。最後にデータパルス電圧が０Ｖの場合であるが、このときは、最後まで維持放電は発生しない。このように、本実施形態を用いれば１回の走査（書込み）で３階調の表示を行なうことができ、階調表示のためのサブフィールド数を減らすことができた。しかも、本発明の第一の実施の形態同様、ｍ個のＸドライバと２個のＹ電極ドライバで２ｍ行の表示画面をプログレッシブで表示することができた。
【００５１】
本実施形態では、データパルス電圧を３段階としたが、段階数を増やすことにより、より多くの階調数を１回の走査で表示することができ、さらにサブフィールド数を減らすことができる。サブフィールド数を減らすことができれば、１フィールドにおける走査期間３の回数を減らすことができるので、その分、維持期間４を長くすることができる。このとき、維持放電開始制御パルス１２もデータパルス電圧の段階数に応じて、異なる電圧のパルスを増やすことになる。ここで、維持パルス１０と維持放電開始制御パルスの電位差が小さい方から順番に、維持期間４の中で印加した。これは、データパルス電圧と維持放電の開始のタイミングが１対１に対応するようにするためである。
【００５２】
また、本実施形態ではＸ電極およびＹ電極の駆動波形として、本発明の第一の実施の形態の駆動波形を用いたが、この他にも、本発明の第二乃至第五の実施の形態の駆動波形を用いても同様の駆動を行なうことができる。
【００５３】
本発明の第七の実施の形態について図１の駆動波形と図１１のパネル平面図を参照しながら説明する。セルの構造は図１７の従来例と同じである。パネルの電極配置は図１６の従来例のように放電ギャップ３７と非放電ギャップ３８が交互に存在する。Ｘ電極は２本ずつ共通化されている。駆動波形は本発明の第一の実施の形態と同じである。はじめに、予備放電期間２では、全ての放電ギャップ３７の間で面放電が発生し、Ｘ電極２２とＹ電極２３の電極上にそれぞれ負と正の壁電荷が形成される。本実施形態の場合、Ｘ電極２２およびＹ電極２３にはセル分離隔壁３３または３４が存在しないため、書込みによる面放電が発生した場合、それぞれの電極上の全面に壁電荷が形成される。書込みのやり方は本発明の第一の実施の形態と同じであり、Ｘ電極２２とＹ電極２３の間で書込みの面放電を発生させ、同じタイミングでデータ電極２９の電位を変え、壁電荷の蓄積量を変えることにより、点灯と非点灯のセルへの書込みを変えている。書込みの順番も本発明の第一の実施の形態と同じであり、ｔ１には、Ｘ１とＹ１電極の間のセル、ｔ２にはＸ１とＹ２電極の間のセル、ｔ３にはＸ２とＹ３電極の間のセルという順番である。このようにして、順次書込みを行なった後、維持期間４に移行する。ここでも動作は本発明の第一の実施の形態と同じであり、点灯セルでは、はじめに対向放電が発生し、その後に面の維持放電が持続される。本実施形態では、駆動波形として本発明の第一の実施の形態の駆動波形を用いたが、第二乃至第六の実施の形態の駆動波形を用いてもよい。
【００５４】
このようにして、ｍ個のＸドライバと２個のＹ電極ドライバで２ｍ行の表示画面をプログレッシブで表示することができた。
【００５５】
本発明の第八の実施の形態について図７の駆動波形と図１２のパネル平面図を参照しながら説明する。セルの構造は図１７の従来例と同じである。パネルの電極配置は図１６の従来例のように放電ギャップ３７と非放電ギャップ３８が交互に存在する。本実施形態では、Ｘ電極２２を４本ごとに同じドライバＰで駆動し、合計でｍ個のＰドライバで駆動している。一方、Ｙ電極２３の方は、Ｙ４ｋ−３、Ｙ４ｋ−２、Ｙ４ｋ−１、Ｙ４ｋ（ｋは整数）を４個のＱドライバ、Ｑ１、Ｑ２、Ｑ３、Ｑ４でそれぞれ駆動している。動作については、本発明の第四の実施の形態と同じ順序で書込みが行なわれる。本実施形態では、本発明の第四の実施の形態の駆動波形を用いたが、第五の実施の形態の駆動波形を用いてもよい。
【００５６】
このようにして、ｍ個のＸドライバと４個のＹ電極ドライバで４ｍ行の表示画面をプログレッシブで表示することができた。本実施形態ではＸ電極２２を４本ずつ同じドライバＰで駆動させたが、さらに多くすることもできる。Ｘ電極２２をｒ本ずつ同じドライバＰで駆動した場合、Ｙ電極ドライバはｒ個必要となる。したがって、ｍ個のＸ電極ドライバとｒ個のＹ電極ドライバによりｍｒ行の画面を表示することができる。例えばＸ電極ドライバとＹ電極ドライバを３２個ずつとすると、ｍ＝３２、ｒ＝３２となるので、１０２４行の画面表示を行なうことができる。このように、Ｘ電極とＹ電極のドライバ数の掛け算が表示行数となるため、Ｘ電極ドライバとＹ電極ドライバの合計数を最小にするには、Ｘ電極ドライバ数とＹ電極ドライバ数を同数にすればよい。
【００５７】
本発明の第九の実施の形態について図２のセル平面図と図１３のセル断面図を参照しながら説明する。図２において、破線で囲った部分が１セルである。また、図２のＡ−Ａ’間で切った断面が図１３のセル断面図である。パネル電極配置および駆動波形は本発明の第一の実施の形態と同じである。セル構造では、下部絶縁性基板２１に形成されたセル分離隔壁３４が上部絶縁性基板２０にまで達していること以外は、本発明の第一の実施の形態と同じである。したがって、駆動の動作については本発明の第一の実施の形態と同じである。図３に示す第一の実施形態では、セル分離隔壁が、セル分離隔壁３３と３４に分離して、それぞれ上部絶縁性基板２０上と下部絶縁性基板２１上に分離して形成されている。この２つのセル分離隔壁３３と３４の間には排気パスが設けられている。一方、本実施形態では、セル分離隔壁３４は下部絶縁性基板２１にしか形成されておらず、１セル毎に密閉された構造になっている。したがって、パネルの作成工程における、排気には３倍程度の時間はかかるが、１つのセル内の放電で発生した荷電粒子をより確実にそのセル内に閉じ込めることができ、隣接セルの誤灯を防ぐことができる。さらに、蛍光体を塗布する下部絶縁性基板２１側の隔壁の高さが高くなるため、蛍光体を塗布できる隔壁面積が広くなり、輝度と効率をアップさせることができる。
【００５８】
本実施形態では、本発明の第一の実施の形態の駆動波形を用いたが、第二乃至第六の実施の形態の駆動波形およびパネル電極配置に適用することもできる。
【００５９】
本発明の第十の実施の形態について図１４のセル平面図と図３のセル断面図を参照しながら説明する。図１４において、破線で囲った部分が１セルである。また、図２のＡ−Ａ’間で切った断面が図３のセル断面図である。パネル電極配置および駆動波形は本発明の第一の実施の形態と同じである。セル構造では、下部絶縁性基板２１に形成されたデータ電極２９の形状以外は、本発明の第一の実施の形態と同じである。したがって、駆動の動作については本発明の第一の実施の形態と同じである。セル分離隔壁３４の下の部分のデータ電極の幅を細くすることにより、隣接セルへの壁電荷の影響を少なくするようにしている。
【００６０】
本実施形態では、本発明の第一の実施の形態の駆動波形を用いたが、第二乃至第六の実施の形態の駆動波形およびパネル電極配置に適用することもできる。
【００６１】
【発明の効果】
以上説明した本発明によれば、従来、ｍ個のＸ電極ドライバと１個のＹ電極ドライバの合計ｍ＋１個のドライバを用いて、ｍ行の表示しかできなかったのを、ｍ個のＸ電極ドライバと２個のＹ電極ドライバで２ｍ行の表示を行なえるようになった。モニターやＴＶ用のディスプレイとしてはｍは４８０程度かそれ以上ということになるので、同じドライバ数で約２倍の表示容量を実現することができる。さらに、複数のＸ電極でドライバを共有することで、よりドライバ数を削減することができ、３２個のＸドライバとＹドライバで１０２４行の表示を実現することもできる。
【図面の簡単な説明】
【図１】本発明の第１実施形態におけるパネルの平面図である。
【図２】本発明の第１実施形態における１セルの平面図である。
【図３】本発明の第１実施形態における１セルの断面図である。
【図４】本発明の第１実施形態における駆動波形を示す図である。
【図５】本発明の第２実施形態における駆動波形を示す図である。
【図６】本発明の第３実施形態における駆動波形を示す図である。
【図７】本発明の第４実施形態における駆動波形を示す図である。
【図８】本発明の第５実施形態における駆動波形を示す図である。
【図９】本発明の第６実施形態における駆動波形を示す図である。
【図１０】本発明の第４および第５実施形態におけるパネル電極配線平面図である。
【図１１】本発明の第７実施形態におけるパネル電極配線平面図である。
【図１２】本発明の第８実施形態におけるパネル電極配線平面図である。
【図１３】本発明の第９実施形態における１セルの断面図である。
【図１４】本発明の第１０実施形態における１セルの平面図である。
【図１５】本発明の駆動における壁電荷の変化を示した概念図である。
【図１６】従来の３電極ＡＣ型プラズマディスプレイパネルの平面図である。
【図１７】従来の３電極ＡＣ型プラズマディスプレイパネルのセル断面図である。
【図１８】従来の３電極ＡＣ型プラズマディスプレイパネルの駆動波形示す図である。
【図１９】従来の３電極ＡＣ型プラズマディスプレイパネルの平面図である。
【図２０】従来の３電極ＡＣ型プラズマディスプレイパネルの駆動波形示す図である。
【図２１】従来の３電極ＡＣ型プラズマディスプレイパネルの駆動波形示す図である。
【図２２】従来の３電極ＡＣ型プラズマディスプレイパネルの書込みと維持における壁電荷と放電の概念図である。
【符号の説明】
１  １  サブフィールド
２  予備放電期間
３  走査期間
４  維持期間
５  正極性予備放電パルス
６  負極性予備放電パルス
７  負極性走査パルス
８  正極性走査パルス
９  データパルス
１０  維持パルス
１１  走査立下り
１２  維持放電開始制御パルス
１３  走査パルス
１４  走査ベース電圧
２０  上部絶縁性基板
２１  下部絶縁性基板
２２  Ｘ電極
２３  Ｙ電極
２４  透明誘電体層
２５  保護層
２６  放電空間セル
２７  蛍光体層
２８  白色誘電体層
２９  データ電極
３０  ディスプレイ表示画面
３１  １セル
３２  金属電極
３３  セル分離隔壁
３４  セル分離隔壁
３５  縦ライン隔壁
３６  縦ライン隔壁
３７  放電ギャップ
３８  非放電ギャップ
【図１】
0004498597.tif 000002
【図２】
0004498597.tif 000003
【図３】
0004498597.tif 000004
【図４】
0004498597.tif 000005
【図５】
0004498597.tif 000006
【図６】
0004498597.tif 000007
【図７】
0004498597.tif 000008
【図８】
0004498597.tif 000009
【図９】
0004498597.tif 000010
【図１０】
0004498597.tif 000011
【図１１】
0004498597.tif 000012
【図１２】
0004498597.tif 000013
【図１３】
0004498597.tif 000014
【図１４】
0004498597.tif 000015
【図１５】
0004498597.tif 000016
【図１６】
0004498597.tif 000017
【図１７】
0004498597.tif 000018
【図１８】
0004498597.tif 000019
【図１９】
0004498597.tif 000020
【図２０】
0004498597.tif 000021
【図２１】
0004498597.tif 000022
【図２２】
0004498597.tif 000023